(57)【特許請求の範囲】
【請求項１】
手指を差し入れる凹部に一体に形成されたスイッチノブを有する操作スイッチからなり、
前記操作スイッチは、前記スイッチノブの操作による物理量の変化を検出する検出部を有し、
前記操作スイッチは、前記検出部として、前記スイッチノブに対する手指の接触を検出するタッチセンサと、前記スイッチノブの引き上げ力及び押し下げ力による歪量を検出する歪センサとを有してなることを特徴とするスイッチ装置。
【請求項２】
手指を差し入れる凹部に一体に形成されたスイッチノブを有する操作スイッチからなり、
前記操作スイッチは、前記スイッチノブの操作による物理量の変化を検出する検出部を有し、
前記操作スイッチは、前記スイッチノブを取り付ける取付対象に対して前記スイッチノブを引き上げる方向及び押し下げる方向に移動自在に構成され、前記検出部として、前記スイッチノブに対する手指の接触を検出するタッチセンサと、前記取付対象に対する移動方向を検出する移動方向検出センサとを有してなることを特徴とするスイッチ装置。
【請求項３】
前記操作スイッチは、複数のスイッチノブからなり、当該複数のスイッチノブが所要の間隔をもって一体に形成された構成を有してなる請求項１又は２に記載のスイッチ装置。
【発明の詳細な説明】
【技術分野】
【０００１】
本発明は、スイッチ装置に係り、特に、車両の窓ガラスを昇降させるパワーウインドウ装置などに好適に用いられるスイッチ装置に関する。
【背景技術】
【０００２】
車両のスイッチ装置の一例としては、自動車の窓ガラスを昇降動作させるコネクタ付きスイッチが提案されている（例えば、特許文献１参照。）。
【０００３】
上記特許文献１に記載されたコネクタ付きスイッチは、細長いボックスの上部に上下揺動可能に取り付けたキースイッチノブと、ボックスの内部に取り付けた接点と、ボックスの側部に取り付けたコネクタとを備えている。キースイッチノブは、ボックスの前後方向に２個ずつ二列に並べて配置されている。
【０００４】
ボックスの上部には、キースイッチノブの先端側に操作者の指先を差し入れる凹部と、一列に並べたキースイッチノブの間を隔てる仕切り壁とが前後方向に設けられており、ボックスの凹部を介してスイッチノブの引き上げ操作又は押し下げ操作が行われるようになっている。
【先行技術文献】
【特許文献】
【０００５】
【特許文献１】特開平９−２０４８４２号公報
【発明の概要】
【発明が解決しようとする課題】
【０００６】
上記特許文献１に記載のコネクタ付きスイッチにおいては、キースイッチノブの裏面に操作者の指先を差し入れる凹部の前後方向の長さに、一列のキースイッチノブの間を隔てる仕切り壁の前後方向の長さを加えた長さをもつボックスを製作することが必要になる。このような構成にすると、凹部及び仕切り壁による配置空間の存在が邪魔となり、ボックスの前後方向の全長を短縮してスイッチ全体を小型化することは困難になる。
【０００７】
従って、本発明の目的は、前後方向の全長を短縮して小型化を図ることを可能としたスイッチ装置を提供することにある。
【課題を解決するための手段】
【０００８】
上記目的を達成するために、本発明は、手指を差し入れる凹部に一体に形成されたスイッチノブを有する操作スイッチからなり、前記操作スイッチは、前記スイッチノブの操作による物理量の変化を検出する検出部を有してなることを特徴とするスイッチ装置を構成している。
【０００９】
本発明に係る前記操作スイッチは、前記操作スイッチは、前記検出部として、前記スイッチノブに対する手指の接触を検出するタッチセンサを有してなることが好適である。
【００１０】
更に、本発明に係る前記操作スイッチは、前記検出部として、前記スイッチノブの引き上げ力及び押し下げ力による歪量を検出する歪センサを有してなることが好適である。
【００１１】
更にまた、本発明に係る前記操作スイッチは、前記検出部として、前記スイッチノブに対する手指の接触を検出するタッチセンサと、前記スイッチノブの引き上げ力及び押し下げ力による歪量を検出する歪センサとを有してなることが好ましい。
【００１２】
更にまた、本発明に係る前記操作スイッチは、前記操作スイッチは、前記スイッチノブを取り付ける取付対象に対して前記スイッチノブを引き上げる方向及び押し下げる方向に移動自在に構成され、前記検出部として、前記スイッチノブに対する手指の接触を検出するタッチセンサと、前記取付対象に対する移動方向を検出する移動方向検出センサとを有してなることが好ましい。
【００１３】
更にまた、本発明に係る前記操作スイッチは、複数のスイッチノブからなり、当該複数のスイッチノブが所要の間隔をもって一体に形成された構成を有してなることが好ましい。
【発明の効果】
【００１４】
本発明によれば、操作スイッチの前後方向の全長を短縮して、スイッチ装置全体を小型化することができる。
【図面の簡単な説明】
【００１５】
【図１】本発明の好適な第１の実施の形態に係るスイッチ装置を備えた車両の運転席ドアの一例を説明するための図である。
【図２】第１の実施の形態に係るスイッチ装置の一例を模式的に示す斜視図である。
【図３】第１の実施の形態に係るスイッチ装置に適用されるスライドスイッチの一例を模式的に示す要部断面図である。
【図４】第１の実施の形態に係るスイッチ装置のウインドウ制御装置の一例を示す機能ブロック図である。
【図５】第１の実施の形態に係るスイッチ装置に適用されるスイッチノブの他の一例を模式的に示す部分斜視図である。
【図６】従来のスイッチ装置と第１の実施の形態に係るスイッチ装置とを比較するための図である。
【図７】第２の実施の形態に係るスイッチ装置に適用されるスイッチノブの一例を模式的に示す斜視図である。
【図８】（ａ）は図７に示すスイッチノブを模式的に示す要部斜視図であり、（ｂ）はスイッチノブの押し下げ操作を説明するための図、（ｃ）はスイッチノブの引き上げ操作を説明するための図である。
【図９】第２の実施の形態に係るスイッチ装置のウインドウ制御装置の一例を示す機能ブロック図である。
【図１０】第３の実施の形態に係るスイッチ装置に適用されるスイッチノブの一例を模式的に示す斜視図である。
【図１１】（ａ）は図１０に示すスイッチノブを模式的に示す要部斜視図であり、（ｂ）はスイッチノブの押し下げ操作を説明するための図、（ｃ）はスイッチノブの引き上げ操作を説明するための図である。
【図１２】第４の実施の形態に係るスイッチ装置に適用されるスイッチノブの一例を模式的に示す斜視図である。
【発明を実施するための形態】
【００１６】
以下、本発明の好適な実施の形態を添付図面に基づいて具体的に説明する。
【００１７】
［第１の実施の形態］
（車両の運転席ドアの全体構成）
図１において、全体を示す符号１は、車両の運転席ドアの一例を模式的に示している。運転席ドア１には、昇降可能な窓ガラス２が装着されている。運転席ドア１のドアトリム３には、車室内に膨出するドアアームレスト４が設置されており、ドアアームレスト４の上面内部には、第１の実施の形態に係るスイッチ装置５が設置されている。
【００１８】
このスイッチ装置５は、図２に示すように、窓ガラス２を昇降操作する操作スイッチ５１と、操作スイッチ５１を車両上下方向に移動自在に収容支持するスイッチケース６とを有している。操作スイッチ５１は、運転席ドア１の窓ガラス２、及び助手席ドアの窓ガラスを昇降操作する前部スイッチノブ５２と、後右席ドアの窓ガラス、及び後左席ドアの窓ガラスを昇降操作する後部スイッチノブ５３とを有している。
【００１９】
スイッチ装置５は、窓ガラスの上昇操作、自動上昇操作、下降操作、及び自動下降操作の機能を有するパワーウインドウスイッチである。前部スイッチノブ５２と後部スイッチノブ５３（以下、単に「スイッチノブ５２，５３」ともいう。）は、運転席ドア１の窓ガラス２と、後右席ドア、助手席ドア、及び後左席ドアのそれぞれの窓ガラスとに関連して、手指を差し入れる凹部５４に連続して一体に形成されている。なお、前部スイッチノブ５２及び後部スイッチノブ５３は、実質的に同一の形状、及び構造を有している。
【００２０】
（スイッチ装置の構成）
車両の運転席側で窓ガラスを操作する場合は、一般的に左右側の窓ガラスを同時に開閉する操作、左側の窓ガラスを開ける一方、右側の窓ガラスを閉じる操作、前後側の窓ガラスを同方向に同時に開閉する操作、あるいは前後左右側の窓ガラスの全てを同方向に同時に開閉する操作が行われる。このことから、第１の実施の形態に係るスイッチ装置５は、必ずしも前後左右側の窓ガラスを独立して昇降操作させなくても構わないという技術思想に基づいている。
【００２１】
このようなスイッチ装置５の操作スイッチ５１は、操作者の指先で引き上げ操作又は押し下げ操作を行うための操作空間となる曲線状の凹部５４を有するスイッチノブ５２，５３が連続して一体に形成された合成樹脂製の操作スイッチからなることに主要な構成を有している。
【００２２】
この操作スイッチ５１は、車両前後一対のスイッチノブ５２，５３の左右に形成された一対の側壁部を有する下面を開放した前後方向に長い殻体により構成されている。スイッチノブ５２，５３は、凹部５４の底面から車両前側の先端部に向けて次第に細くなり、その先端部が車両上下方向に湾曲可能な先細り状に形成されている。
【００２３】
一方のスイッチケース６は、ドアアームレスト４の上面内部に装着される。スイッチケース６の凹部の底面には、中間部が切り欠かれた板状の壁部６１が立設されている。この壁部６１には、車両前後方向一対の取付軸部６２，６２が貫通されており、この取付軸部６２の左右両端部がスイッチケース６の左右側壁部に固定されている。
【００２４】
操作スイッチ５１の左右側壁部の前後側には、所要の傾斜角θをもって車両後方向に上傾斜して延びるスリット状の案内孔５５，５５が貫通して形成されている。スイッチケース６の取付軸部６２は、操作スイッチ５１の案内孔５５を摺動自在に支持するようになっている。なお、操作スイッチ５１の右側壁部の前後側に形成された案内孔５５，５５は、図示を省略している。
【００２５】
操作スイッチ５１の案内孔５５とスイッチケース６の取付軸部６２とは、所要の傾斜角θをもって車両上下方向に移動するスライド構造として構成されている。このスライド構造により、スライド操作されるスライドスイッチ７が操作スイッチ５１に設置されている。
【００２６】
スライドスイッチ７は、図３に示すように、操作スイッチ５１の左側壁部の内面に設けられた可動接点となる可動接点板７２が複数の半球状の固定接点７１の間の接続を切り換える構成とされている。固定接点７１は、操作スイッチ５１の中立位置を境界として上下２段に配置された２個一対の固定接点からなり、スイッチケース６の壁部６１に設けられた基板の導電パターンと電気的に接続されている。
【００２７】
一方の可動接点板７２は、板材の両端縁がコ字状に折り曲げられた一対の折曲片７２ａ，７２ａを有している。操作スイッチ５１の殻体の内面には、圧縮コイルばね７３を収容する凹部５７ａを有するコンタクトホルダ５７が一体に形成されている。可動接点板７２の一対の折曲片７２ａ，７２ａに形成された係合孔７２ｂ，７２ｂは、コンタクトホルダ５７の外側面に突出して形成された係合突部５７ｂに圧縮コイルばね７３を介して移動自在に係合固定されている。
【００２８】
可動接点板７２は、圧縮コイルばね７３の弾力が固定接点７１側に常時作用するように構成されており、操作スイッチ５１の上下方向の移動に伴い、圧縮コイルばね７３の弾力に抗して固定接点７１上を摺動しながら移動することにより固定接点７１と導通状態になる。
【００２９】
操作スイッチ５１を上下方向に移動させると、１段目の固定接点７１と可動接点板７２とが導通することで窓ガラス２の昇降動作が行われるとともに、一段目の固定接点７１と二段目の固定接点７１とを跨いで可動接点板７２が導通することで窓ガラス２の自動昇降動作が実行されるようになっている。
【００３０】
なお、スイッチ装置５は、操作者の指先による前部スイッチノブ５２の引き上げ操作又は押し下げ操作を解除したとき、あるいは後部スイッチノブ５３の引き上げ操作又は押し下げ操作を解除したとき、中立位置に自動復帰するモーメンタリ型のスイッチとして構成することが好適である。また、スライドスイッチ７は、操作スイッチ５１の殻体の外側面とスイッチケース６の内側面との間に設置しても構わない。
【００３１】
（スイッチノブの構成）
図示例による操作スイッチ５１にあっては、車両前後一対のスイッチノブ５２，５３が互いに連動して同方向に同時に動く。この構成によると、スイッチノブ５２，５３のうち、どのスイッチノブ５２，５３のどの位置を操作しているのかという位置情報を検出することが肝要となる。
【００３２】
そこで、前部スイッチノブ５２の先端部には、表裏両面に連続して、物理量の変化を検出する検出部としての車両側左右一対のタッチセンサ５６ａ，５６ｃが並列に設けられるとともに、後部スイッチノブ５３の先端部には、表裏両面に連続して、車両側左右一対のタッチセンサ５６ｂ，５６ｄが並列に設けられている。図示例では、タッチセンサ５６ａが運転席ドア１の窓ガラス２に、タッチセンサ５６ｃが助手席ドアの窓ガラスに、タッチセンサ５６ｂが後右席ドアの窓ガラスに、タッチセンサ５６ｄが後左席ドアの窓ガラスにそれぞれ対応している。
【００３３】
タッチセンサ５６ａ，５６ｂ，５６ｃ，５６ｄによって、スイッチノブ５２，５３のうち、どのスイッチノブ５２，５３のどの位置に操作者の手指が接触しているのかという位置情報を検出することができる。タッチセンサ５６ａ，５６ｂ，５６ｃ，５６ｄとしては、静電容量方式、抵抗膜方式、又は感圧式等からなる各種のタッチセンサを用いることができる。
【００３４】
このタッチセンサ５６ａ，５６ｂ，５６ｃ，５６ｄによって、スイッチノブ５２，５３のうち、どのスイッチノブ５２，５３のどの位置を操作しているのかという位置情報を検出することに加えて、どのスイッチノブ５２，５３により、引き上げ操作を行っているのか、あるいは押し下げ操作を行っているのかという操作情報を検出することも肝要である。
【００３５】
そこで、所要の傾斜角θをもって操作スイッチ５１を車両上下方向に移動させるスライド構造によりスライド操作されるスライドスイッチ７が、操作スイッチ５１の移動（スライド）方向を検出する移動方向検出センサとして構成されている。所要の傾斜角θをもって操作スイッチ５１が車両上下方向に移動することから、可動接点板７２と固定接点７１とが接触する位置情報に基づいて操作スイッチ５１の移動方向を検出する構成を用いることができる。
【００３６】
移動方向検出センサとしては、図示例に限定されるものではなく、例えば磁気センサ等により操作スイッチ５１の移動方向を検出することもできる。スイッチケース６に対する操作スイッチ５１の移動方向を検出することにより、操作者の指先で引き上げ操作を行っているのか、あるいは押し下げ操作を行っているのかという操作情報を検出することができる。
【００３７】
（ウインドウ制御装置の構成）
ここで、図４を参照すると、同図には、窓ガラス２の開閉を操作スイッチ５１の操作で行うウインドウ制御装置８の一例が示されている。ウインドウ制御装置８は、スライドスイッチ７の上昇信号、自動上昇信号、下降信号、及び自動下降信号の出力信号Ｖ１と、前部スイッチノブ５２のタッチセンサ５６ａ，５６ｃのそれぞれの出力信号Ｓ１，Ｓ３と、後部スイッチノブ５３のタッチセンサ５６ｂ，５６ｄのそれぞれの出力信号Ｓ２，Ｓ４との５系統の出力信号を制御部８１に出力するように構成されている。なお、図４は、スイッチノブ５２，５３を機能ブロック毎に図示したものである。
【００３８】
制御部８１は、制御プログラムに従って取得したデータに演算や加工等を行うＣＰＵ、ＲＯＭ、及びＲＡＭなどから構成されるマイクロコンピュータである。ＲＯＭは、スライドスイッチ７の移動方向や接続と、前部スイッチノブ５２及び後部スイッチノブ５３のタッチセンサ５６ａ，５６ｂ，５６ｃ，５６ｄのセンサ量とに対応させて前部スイッチノブ５２又は後部スイッチノブ５３の接触位置や操作方向等を対応付けた態様を判定するための各種の設定データを格納する。一方のＲＡＭは、ＲＯＭから読み出される設定データを一時的に記憶する。
【００３９】
制御部８１は、スライドスイッチ７の移動方向や接続と、前部スイッチノブ５２又は後部スイッチノブ５３の接触位置や操作方向と、タッチセンサ５６ａ，５６ｂ，５６ｃ，５６ｄのセンサ量等との組み合わせを対応付けた記憶部のテーブルを参照して、取得した情報に基づき操作スイッチ５１の操作状態を認識し、その操作状態を示す自動上昇を含む上昇駆動信号Ｖ１ａ，Ｖ１ｂ，Ｖ１ｃ，Ｖ１ｄや自動下降を含む下降駆動信号Ｖ２ａ，Ｖ２ｂ，Ｖ２ｃ，Ｖ２ｄを生成する。
【００４０】
自動上昇を含む上昇駆動信号Ｖ１ａ，Ｖ１ｂ，Ｖ１ｃ，Ｖ１ｄや自動下降を含む下降駆動信号Ｖ２ａ，Ｖ２ｂ，Ｖ２ｃ，Ｖ２ｄは、前部スイッチノブ５２及び後部スイッチノブ５３のそれぞれに対応するウインドウレギュレータ９ａ，９ｂ，９ｃ，９ｄの駆動モータへ出力される。
【００４１】
上記のように構成されたスイッチノブ５２，５３は互いに連動して同方向に同時に車両上下方向に動くため、同時に上昇操作及び下降操作を行うことはできないが、スイッチノブ５２，５３のうちのいずれか一方のスイッチノブのタッチセンサを操作した場合は、４つの窓ガラスのいずれかを単独に昇降操作させることが可能になる。一方、スイッチノブ５２，５３を同時に操作した場合は、４つの窓ガラスのそれぞれを同時に昇降操作させることも可能になる。
【００４２】
（スイッチノブの他の構成）
図５を参照すると、同図には、第１の実施の形態に係るスイッチ装置５に適用されるスイッチノブの他の一例が模式的に示されている。なお、同図において、上記第１の実施の形態と実質的に同じ部材には同一の部材名と符号を付している。
【００４３】
運転席において４つの窓ガラスを昇降操作するため、操作スイッチ５１は、運転席ドア１の窓ガラス２と、助手席ドア、後右席ドア、及び後左席ドアのそれぞれに設けられた窓ガラスとに関連して、車両左右方向両側に所要の配列間隔をもって二列に配列されている。
【００４４】
この二列の操作スイッチ５１は、運転席ドア１の窓ガラス２、及び後右席ドアの窓ガラスを昇降操作するスイッチノブ５２，５３と、助手席ドア、及び後左席ドアの窓ガラスを昇降操作するスイッチノブ５２，５３とにより構成されている。なお、図示例による二列の操作スイッチ５１は、実質的に同一の形状、及び構造を有している。また、図５の手前側に示す操作スイッチ５１は、引き上げ操作を行った状態を例示している。
【００４５】
図示例では、二列の操作スイッチ５１が分離した構成となっているが、操作スイッチ５１の昇降操作により、二列の操作スイッチ５１の間に隙間を生じることが殆どないので、粉塵や雨水等の侵入を防止することができる。
【００４６】
（第１の実施の形態の効果）
以上のように構成されたスイッチ装置５を採用することで、上記効果に加えて以下の効果が得られる。
【００４７】
ここで、図６を参照すると、同図には、従来のスイッチ装置１００と第１の実施の形態に係るスイッチ装置５とを比較するための説明図が示されている。
【００４８】
従来のスイッチ装置１００は、図６（ａ）に示すように、車両前後方向一列に配列されたスイッチノブ１０１，１０２のうち、車両後側のスイッチノブ１０２は、車両前側のスイッチノブ１０１の仕切り壁１０３とスイッチパネルの凹部１０４との後方に回転軸１０５を配置した構成となっている。
【００４９】
この構成上、一列に並ぶスイッチノブ１０１，１０２の配置空間である開口部１０６と、スイッチノブ１０１，１０２を仕切る仕切り壁１０３と、スイッチノブ１０１，１０２の操作空間である凹部１０４とを配置する領域の全長Ｌ１が長くなり、一列に並ぶスイッチノブ１０１，１０２が占有する空間が大きくなる。
【００５０】
これに対し、第１の実施の形態に係るスイッチ装置５は、図６（ｂ）に示すように、スイッチノブ５２，５３の仕切り壁がスイッチノブ５２，５３の操作空間である凹部５４と共用した構成となっている。
【００５１】
この構成により、スイッチノブ５２，５３の操作空間である凹部５４の長さＬ２が、図６（ａ）に示す従来のスイッチ装置１００の凹部１０４の長さＬ２と同一の寸法であっても、従来のスイッチ装置１００の仕切り壁１０３と開口部１０６とを加えた設置領域の長さＬ３を短くすることができるようになり、一列に並ぶスイッチノブ５２，５３の設置領域の全長Ｌ４を従来のスイッチ装置１００の設置領域の全長Ｌ１よりも短く設定することが可能になる。
【００５２】
一列に並ぶ複数のスイッチノブ５２，５３が一体に形成されていることから、スイッチノブ５２，５３の間に隙間を生じることがなく、粉塵や雨水等の侵入を防止することができる。
【００５３】
一列に並ぶ複数のスイッチノブ５２，５３が占有する空間を小さくすることが可能になる。
【００５４】
一列に並ぶ複数のスイッチノブ５２，５３が占有する空間を小さくすることができるので、例えば自動車の多機能化により他用途のスイッチ装置を追加して配置する場合にも、スイッチ装置５全体の小型化を図ることができるようになる。
【００５５】
スイッチノブ５２，５３に回転軸部を有しない構成であり、粉塵や雨水等の侵入により接点不良や誤操作を起こすことはない。
【００５６】
操作スイッチ５１の意匠面にスイッチノブ５２，５３の間の隙間をなくすことができるので、外観意匠性にも優れた商品価値の高いスイッチ装置５を得ることができる。
【００５７】
［第２の実施の形態］
図７、図８、及び図９を参照すると、これらの図には、第２の実施の形態に係るスイッチ装置５における操作スイッチ５１の構成の一例が模式的に示されている。
【００５８】
第２の実施の形態では、スイッチノブ５２，５３の構成を除いて、他の構成は上記第１の実施の形態と実質的に同様の構成を備えている。従って、上記第１の実施の形態で用いた部材符号と同じ部材符号を用いることで、その部材に関する詳細な説明は省略する。
【００５９】
第２の実施の形態において、上記第１の実施の形態と異なるところは、スイッチケース６に対して操作スイッチ５１が移動不能に収容されている点と、前部スイッチノブ５２及び後部スイッチノブ５３のそれぞれに窓ガラスの開閉動作態様を検出する機能を有している点にある。
【００６０】
操作スイッチ５１は、図７に示すように、運転席ドア１の窓ガラス２、及び助手席ドアの窓ガラスを昇降操作する前部スイッチノブ５２と、後右席ドアの窓ガラス、及び後左席ドアの窓ガラスを昇降操作する後部スイッチノブ５３とを有している。なお、２つのスイッチノブ５２，５３のいずれとも、同一の形状、及び構造を有している。
【００６１】
スイッチノブ５２の先端上下面には、スイッチノブ先端縁を境界として、物理量の変化を検出する上部のタッチセンサ５６ａ，５６ｃと下部のタッチセンサ５８ａ，５８ｃとのそれぞれが別個に独立して並列に設けられている。一方のスイッチノブ５３の先端上下面には、スイッチノブ先端縁を境界として、上部のタッチセンサ５６ｂ，５６ｄと下部のタッチセンサ５８ｂ，５８ｄとが別個に独立して並列に設けられている。
【００６２】
これらのタッチセンサ５６ａ，５６ｂ，５６ｃ，５６ｄ，５８ａ，５８ｂ，５８ｃ，５８ｄとしては、上記第１の実施の形態と同様に、静電容量方式、抵抗膜方式、又は感圧式等からなる各種のタッチセンサを用いることができる。
【００６３】
操作スイッチ５１は、上部のタッチセンサ５６ａ，５６ｂ，５６ｃ，５６ｄ及び下部のタッチセンサ５８ａ，５８ｂ，５８ｃ，５８ｄにより、操作者の手指Ｆで、スイッチノブ５２，５３のうち、どのスイッチノブ５２，５３にどの位置に接触しているのかという位置情報を検出するとともに、スイッチノブ５２，５３を引き上げ操作させようとしているのか、あるいは押し下げ操作させようとしているのかという操作情報を検出する構成とされている。
【００６４】
スイッチノブ５２，５３は、位置情報及び操作情報の検出機能に加えて、窓ガラスの開閉動作態様を検出する機能を有している。図示例では、スイッチノブ５２，５３の先端側内部には、インサート成形により歪センサ５９ａ，５９ｂ，５９ｃ，５９ｄが内蔵されている。歪センサ５９ａは上部のタッチセンサ５６ａに、歪センサ５９ｂは上部のタッチセンサ５６ｂに、歪センサ５９ｃは上部のタッチセンサ５６ｃに、歪センサ５９ｄは上部のタッチセンサ５６ｄにそれぞれ対応して配置されている。
【００６５】
物理量の変化を検出する検出部である歪センサ５９ａ，５９ｂ，５９ｃ，５９ｄとしては、例えば電気抵抗変化、圧電効果あるいは静電容量を用いて歪量を検出する各種のセンサを用いることができる。
【００６６】
これらの歪センサ５９ａ，５９ｂ，５９ｃ，５９ｄは、タッチセンサ５６ａ，５６ｂ，５６ｃ，５６ｄ及び下部のタッチセンサ５８ａ，５８ｂ，５８ｃ，５８ｄに対応するスイッチノブ５２，５３の先端部における引き上げ力又は押し下げ力による歪量を検出する。この引き上げ力又は押し下げ力の強弱（大小）により、歪センサ５９ａ，５９ｂ，５９ｃ，５９ｄの歪量が変化することから、窓ガラス２の上昇、自動上昇、下降あるいは自動下降の動作態様が検出される。
【００６７】
ここで、図８（ａ）、図８（ｂ）及び図８（ｃ）を参照すると、これらの図には、スイッチノブ５２の押し下げ操作及び引き上げ操作の様子が例示されている。なお、スイッチノブ５３にあっても、スイッチノブ５２の押し下げ操作及び引き上げ操作と同様である。
【００６８】
ところで、スイッチノブ５２，５３の先端部における引き上げ力あるいは押し下げ力の強弱によって、窓ガラス２における昇降と自動昇降との動作を変える構成になっているので、スイッチノブ５２，５３の操作時における節度感（クリック感）が得られ難い。
【００６９】
この対策の一例としては、例えば操作スイッチ５１に図示しない振動呈示部を装着する構成が挙げられる。振動呈示部を用いてスイッチノブ５２，５３の操作面を振動させることにより振動呈示を行い、スイッチノブ５２，５３の操作時における節度感を発生させることができる。振動呈示部としては、例えばピエゾ、ソレノイド、電磁コイル等の各種のアクチュエータを用いることができる。
【００７０】
第２の実施の形態におけるウインドウ制御装置８は、図９に示すように、上部のタッチセンサ５６ａ，５６ｂ，５６ｃ，５６ｄのそれぞれの出力信号Ｓ３ａ，Ｓ３ｂ，Ｓ３ｃ，Ｓ３ｄと、下部のタッチセンサ５８ａ，５８ｂ，５８ｃ，５８ｄのそれぞれの出力信号Ｓ４ａ，Ｓ４ｂ，Ｓ４ｃ，Ｓ４ｄと、歪センサ５９ａ，５９ｂ，５９ｃ，５９ｄのそれぞれの出力信号Ｓ５ａ，Ｓ５ｂ，Ｓ５ｃ，Ｓ５ｄとの１２系統の出力信号を制御部８１に出力するように構成されている。
【００７１】
制御部８１は、上部のタッチセンサ５６ａ，５６ｂ，５６ｃ，５６ｄ及び下部のタッチセンサ５８ａ，５８ｂ，５８ｃ，５８ｄのセンサ量と、歪センサ５９ａ，５９ｂ，５９ｃ，５９ｄの歪量と、スイッチノブ５２，５３の接触位置や操作方向等との組み合わせを対応付けた記憶部のテーブルを参照して、取得した情報に基づき操作スイッチ５１の操作状態を認識し、その操作状態を示す自動上昇を含む上昇駆動信号Ｖ１ａ，Ｖ１ｂ，Ｖ１ｃ，Ｖ１ｄや自動下降を含む下降駆動信号Ｖ２ａ，Ｖ２ｂ，Ｖ２ｃ，Ｖ２ｄを生成する。
【００７２】
自動上昇を含む上昇駆動信号Ｖ１ａ，Ｖ１ｂ，Ｖ１ｃ，Ｖ１ｄや自動下降を含む下降駆動信号Ｖ２ａ，Ｖ２ｂ，Ｖ２ｃ，Ｖ２ｄは、スイッチノブ５２，５３のそれぞれに対応するウインドウレギュレータ９ａ，９ｂ，９ｃ，９ｄ側に出力される。
【００７３】
（第２の実施の形態の効果）
第２の実施の形態におけるスイッチ装置５を採用することで、上記第１の実施の形態と同様の効果が得られることに加えて、以下の効果が得られる。
【００７４】
上記第１の実施の形態におけるスライドスイッチ７を用いることなく、上部のタッチセンサ５６ａ，５６ｂ，５６ｃ，５６ｄと、下部のタッチセンサ５８ａ，５８ｂ，５８ｃ，５８ｄと、歪センサ５９ａ，５９ｂ，５９ｃ，５９ｄとの機能により、車両前後一対の前部スイッチノブ５２及び後部スイッチノブ５３のそれぞれに対応する窓ガラスの昇降動作を単独で制御することができる。この構成により、スイッチ装置５全体の小型化を更に向上させることが可能になる。
【００７５】
［第３の実施の形態］
図１０及び図１１を参照すると、これらの図には、第３の実施の形態に係るスイッチ装置５における操作スイッチ５１の構成の一例が模式的に示されている。
【００７６】
第３の実施の形態では、スイッチノブ５２，５３の構成を除いて、他の構成は上記第２の実施の形態と実質的に同様の構成を備えている。従って、上記第２の実施の形態で用いた部材符号と同じ部材符号を用いることで、その部材に関する詳細な説明は省略する。
【００７７】
第３の実施の形態において、上記各実施の形態と異なるところは、操作スイッチ５１のスイッチノブ５２，５３のそれぞれに、タッチセンサを用いることなく歪センサだけを設けた点にある。
【００７８】
図１０及び図１１（ａ）に示すように、前部スイッチノブ５２の先端側内部には、インサート成形により上部右側の歪センサ５９ａと上部左側の歪センサ５９ｃと下部右側の歪センサ５９ｅと下部左側の歪センサ５９ｇとが内蔵されている。一方の後部スイッチノブ５３の先端側内部には、インサート成形により上部右側の歪センサ５９ｂと上部左側の歪センサ５９ｄと下部右側の歪センサ５９ｆと下部左側の歪センサ５９ｈとが内蔵されている。
【００７９】
図１１（ｂ）に示すように、前部スイッチノブ５２の右側領域における押し下げ操作時には、上部右側の歪センサ５９ａが大きく湾曲変形する一方で、下部右側の歪センサ５９ｅの歪量が上部右側の歪センサ５９ａの歪量よりも小さくなる。
【００８０】
前部スイッチノブ５２の右側領域における引き上げ操作時には、図１１（ｃ）に示すように、下部右側の歪センサ５９ｅが大きく湾曲変形する一方で、上部右側の歪センサ５９ａの歪量が下部右側の歪センサ５９ｅの歪量よりも小さくなる。
【００８１】
前部スイッチノブ５２の左側領域における押し下げ操作時又は引き上げ操作時においても、上部左側の歪センサ５９ｃと下部左側の歪センサ５９ｇとの歪量の関係は、上部右側の歪センサ５９ａと下部右側の歪センサ５９ｅと同様である。
【００８２】
前部スイッチノブ５２の歪センサ５９ａ，５９ｃ，５９ｅ，５９ｇは、手指Ｆにより前部スイッチノブ５２の押し下げ操作又は引き上げ操作を行った際に生ずる歪量を検出する。この歪量の信号は、制御部８１へ送られる。制御部８１は、歪センサ５９ａ，５９ｃ，５９ｅ，５９ｇの歪量の差異に基づいて前部スイッチノブ５２の操作位置及び操作方向と、前部スイッチノブ５２の左右の操作位置に対応する窓ガラスの開閉方向等を算出する。
【００８３】
制御部８１の記憶部は、手指Ｆが前部スイッチノブ５２を操作する上部右側の操作位置及び操作方向、上部左側の操作位置及び操作方向、下部右側の操作位置及び操作方向、及び下部左側の操作位置及び操作方向と、４個の歪センサ５９ａ，５９ｃ，５９ｅ，５９ｇの歪量の差異と、前部スイッチノブ５２の左右の操作位置に対応する窓ガラスの開閉方向等との組み合わせを対応付けた態様を判定するための各種の設定データを格納する。
【００８４】
従って、制御部８１は、記憶部のテーブルを参照して、４個の歪センサ５９ａ，５９ｃ，５９ｅ，５９ｇの歪量の差異に基づいて前部スイッチノブ５２の左右の操作位置、前部スイッチノブ５２の操作方向、及び前部スイッチノブ５２の左右の操作位置と対応する窓ガラスの開閉方向等を判断することになる。制御部８１は、記憶部のテーブルから取得した情報に基づき操作スイッチ５１の操作状態を認識し、その操作状態を示すウインドウレギュレータ駆動信号を生成する。
【００８５】
後部スイッチノブ５３にあっても、上部右側の歪センサ５９ｂ、上部左側の歪センサ５９ｄ、下部右側の歪センサ５９ｆ、及び下部左側の歪センサ５９ｈからなる４個の歪センサの歪量の差異に基づいて、後部スイッチノブ５３の左右の操作位置、後部スイッチノブ５３の操作方向、及び後部スイッチノブ５３の左右の操作位置と対応する窓ガラスの開閉方向等を制御部８１により判断することができる。
【００８６】
（第３の実施の形態の効果）
第３の実施の形態におけるスイッチ装置５を採用することで、上記各実施の形態と同様の効果が得られることに加えて、以下の効果が得られる。
【００８７】
タッチセンサを用いることなく、各歪センサ５９ａ，５９ｂ，５９ｃ，５９ｄ，５９ｅ，５９ｆ，５９ｇ，５９ｈの機能により、車両前後一対の前部スイッチノブ５２及び後部スイッチノブ５３のそれぞれに対応する窓ガラスの昇降動作を制御することができる。かかる構成により、操作スイッチ５１の簡素化を更に向上させることが可能になり、部品コストを低減させることができる。
【００８８】
［第４の実施の形態］
図１２を参照すると、同図には、第４の実施の形態に係るスイッチ装置５における操作スイッチ５１の構成の一例が模式的に示されている。
【００８９】
第４の実施の形態では、各歪センサ５９ａ，５９ｂ，５９ｃ，５９ｄ，５９ｅ，５９ｆ，５９ｇ，５９ｈの構成を除いて、他の構成は上記第３の実施の形態と実質的に同様の構成を備えている。従って、前部スイッチノブ５２の構成を中心に説明することで、その他の部材に関する詳細な説明は省略する。
【００９０】
上記第３の実施の形態では、各歪センサ５９ａ，５９ｃ，５９ｅ，５９ｇの曲がり形態によって与えられた歪量の差異に基づいて、スイッチノブ５２の操作位置、及び操作方向等を制御部８１により判断することから、各歪センサ５９ａ，５９ｃ，５９ｅ，５９ｇが同一曲率の曲面で前部スイッチノブ５２に内蔵されることが好適である。
【００９１】
各歪センサ５９ａ，５９ｃ，５９ｅ，５９ｇが異なる曲率の曲面でスイッチノブ５２に内蔵されている場合は、図１１（ｂ）に示すように、前部スイッチノブ５２の右側領域における押し下げ操作時には、必ずしも上部右側の歪センサ５９ａが大きく湾曲変形する一方で、下部右側の歪センサ５９ｅの歪量が上部右側の歪センサ５９ａの歪量よりも小さくなるとは限らない。
【００９２】
そこで、この歪量の正確を期すため、第４の実施の形態にあっては、図１２に示すように、各歪センサ５９ａ，５９ｃ，５９ｅ，５９ｇが平面板状に形成されており、歪センサ５９ａ及び歪センサ５９ｅと、歪センサ５９ｃ及び歪センサ５９ｇとのそれぞれが前部スイッチノブ５２の内部に略平行に対向して設けられている。
【００９３】
この構成により、歪センサ５９ａ及び歪センサ５９ｅや歪センサ５９ｃ及び歪センサ５９ｇは、手指Ｆにより前部スイッチノブ５２の押し下げ操作又は引き上げ操作を行った際に加わる力を正確に受け取って湾曲する。
【００９４】
（第４の実施の形態の効果）
第４の実施の形態におけるスイッチ装置５を採用することで、上記各実施の形態と同様の効果が得られることに加えて、以下の効果が得られる。
【００９５】
平面板状に形成された歪センサ５９ａ，５９ｃ，５９ｅ，５９ｇを用いて、歪センサ５９ａ及び歪センサ５９ｅと、歪センサ５９ｃ及び歪センサ５９ｇとを前部スイッチノブ５２の内部に平行に設けたため、手指Ｆにより前部スイッチノブ５２の押し下げ操作又は引き上げ操作を行った際に生ずる湾曲度を精度よく検出することができるようになり、前部スイッチノブ５２に対応する窓ガラスの昇降動作を精度よく制御することができる。
【００９６】
［変形例］
本発明のスイッチ装置５を上記各実施の形態、変形例、及び図示例に基づいて説明したが、本発明は上記各実施の形態、変形例、及び図示例に限定されるものではなく、その要旨を逸脱しない範囲で種々の態様において実施することが可能である。上記各実施の形態にあっては、例えば次に示すような変形例も可能である。
【００９７】
操作スイッチ５１が取り付けられる取付対象としては、ドアアームレスト４の上面内部に装着されたスイッチケース６に限られるものではない。操作スイッチ５１の取付対象としては、例えばドアアームレスト４の内装トリム部品に形成された開口部やドアトリム等の他の内装トリム部品の開口部に直接取り付ける構成を採用することができる。
【００９８】
スイッチノブ５２，５３は、使用目的などに応じて配置個数、配置位置や配置形態などを適宜に選択することができる。上記各実施の形態では、運転席用の４席分のスイッチを含むものとしたが、上記の構成は、１席用のスイッチにも適用可能なものである。
【００９９】
パワーウインドウ装置以外のスイッチ装置に効果的に用いることができることは勿論である。
【０１００】
スイッチ装置５の設置箇所を特に規定するものではなく、例えば運転席ドア１以外のインストルメントパネル、運転席と助手席の間のセンターコンソール、助手席ドア、後右席ドア、及び後左席ドアのそれぞれのドアアームレストなどの各種の内装品に装着することができる。
【０１０１】
以上の説明からも明らかなように、上記各実施の形態、変形例、及び図示例の中で説明した特徴の組合せの全てが本発明の課題を解決するための手段に必須であるとは限らない点に留意すべきである。
【符号の説明】
【０１０２】
１…運転席ドア、２…窓ガラス、３…ドアトリム、４…ドアアームレスト、５，１００…スイッチ装置、６…スイッチケース、７…スライドスイッチ、８…ウインドウ制御装置、９ａ，９ｂ，９ｃ，９ｄ…ウインドウレギュレータ、５１…操作スイッチ、５２，１０１…（前部）スイッチノブ、５３，１０２…（後部）スイッチノブ、５４，５７ａ，１０４…凹部、５５…案内孔、５６ａ，５６ｂ，５６ｃ，５６ｄ，５８ａ，５８ｂ，５８ｃ，５８ｄ…タッチセンサ、５７…コンタクトホルダ、５７ｂ…係合突部、５９ａ，５９ｂ，５９ｃ，５９ｄ，５９ｅ，５９ｆ，５９ｇ，５９ｈ…歪センサ、６１…壁部、６２…取付軸部、７１…固定接点、７２…可動接点板、７２ａ…折曲片、７２ｂ…係合孔、７３…圧縮コイルばね、８１…制御部、１０３…仕切り壁、１０５…回転軸、１０６…開口部、Ｆ…手指、Ｌ１〜Ｌ４…長さ、Ｖ１，Ｓ１，Ｓ２，Ｓ３，Ｓ４，Ｓ３ａ，Ｓ３ｂ，Ｓ３ｃ，Ｓ３ｄ，Ｓ４ａ，Ｓ４ｂ，Ｓ４ｃ，Ｓ４ｄ，Ｓ５ａ，Ｓ５ｂ，Ｓ５ｃ，Ｓ５ｄ…出力信号、Ｖ１ａ，Ｖ１ｂ，Ｖ１ｃ，Ｖ１ｄ…上昇駆動信号、Ｖ２ａ，Ｖ２ｂ，Ｖ２ｃ，Ｖ２ｄ…下降駆動信号、θ…傾斜角
【図１】
0006714365.tif 000002
【図２】
0006714365.tif 000003
【図３】
0006714365.tif 000004
【図４】
0006714365.tif 000005
【図５】
0006714365.tif 000006
【図６】
0006714365.tif 000007
【図７】
0006714365.tif 000008
【図８】
0006714365.tif 000009
【図９】
0006714365.tif 000010
【図１０】
0006714365.tif 000011
【図１１】
0006714365.tif 000012
【図１２】
0006714365.tif 000013